(57)【要約】【課題】光ファイバを、規定の曲げ半径を維持した状態で、任意の位置に、傷付けることなく確実に保持することができ、簡単、安価、かつコンパクトな構成を容易に実現することができ、しかも引き回しについて良好な作業性を得ることができる光ファイバ保持構造を提供する。【解決手段】光ファイバ保持構造２０は、保持面２１に固定される板状またはシート状の固定部２３と、固定部２３の互いに対向する一対の端部に、光ファイバ４が湾曲することで生じる光ファイバの復元力を受けて前記復元力の反作用により光ファイバ４を保持面２１に沿って所定の曲げ半径で曲げ返した状態で支持する支持面２５を形成する支持部２４と、を備える。【選択図】図３
2012053217.tif 000002
【特許請求の範囲】
【請求項１】
光ファイバを所定の保持面に保持する光ファイバ保持構造であって、
前記保持面に固定される板状またはシート状の固定部と、
前記固定部の互いに対向する一対の端部に、光ファイバが湾曲することで生じる光ファイバの復元力を受けて前記復元力の反作用により光ファイバを前記保持面に沿って所定の曲げ半径で曲げ返した状態で支持する支持面を形成する支持部と、を備える、
光ファイバ保持構造。
【請求項２】
前記支持部は、前記固定部とともに、光ファイバが曲げ返される方向を筒軸方向とし該筒軸方向の両端側を開放させた筒状の保持体を構成する、
請求項１に記載の光ファイバ保持構造。
【請求項３】
前記筒状の保持体は、前記固定部の互いに対向する一対の端部に前記固定部に対して観音開き状に設けられる一対の保持片部が折り重なることにより構成される、
請求項２に記載の光ファイバ保持構造。
【請求項４】
前記支持部は、前記固定部とともに、前記曲げ返した状態の光ファイバの湾曲側と反対側を開放させた袋状の保持体を構成する、
請求項１に記載の光ファイバ保持構造。
【請求項５】
前記袋状の保持体は、前記固定部の互いに対向する一対の端部を含む前記固定部の縁端部に設けられる複数の保持片部が折り重なることにより構成される、
請求項４に記載の光ファイバ保持構造。
【請求項６】
一対の前記支持面は、互いに対向する方向に、光ファイバの許容曲げ半径の２倍の間隔を隔てる、
請求項１〜５のいずれか１項に記載の光ファイバ保持構造。
【請求項７】
前記保持体は、前記復元力により変形可能な程度の柔軟性を有する素材により構成される、
請求項２〜６のいずれか１項に記載の光ファイバ保持構造。
【請求項８】
前記素材は、ＰＥＴフィルムである、
請求項７に記載の光ファイバ保持構造。
【請求項９】
前記支持面は、前記固定部に対する高さが前記支持面により支持される一または複数の光ファイバの径の合計の寸法を下回らないように低く形成される、
請求項１〜８のいずれか１項に記載の光ファイバ保持構造。
【請求項１０】
前記固定部は、粘着テープにより、前記保持面に固定される、
請求項１〜９のいずれか１項に記載の光ファイバ保持構造。
【請求項１１】
請求項１〜１０のいずれか１項に記載の光ファイバ保持構造を備える画像表示用合波装置であって、
波長の異なる光束を出射する複数の光源モジュールを有する光源部と、
各前記光源モジュールから出射される光束を合波する合波部と、
一端側が各前記光源モジュールに接続され、他端側が前記合波部に接続される複数の光ファイバと、を備え、
前記複数の光ファイバが、前記光ファイバ保持構造により保持される、
画像表示用合波装置。
【発明の詳細な説明】
【技術分野】
【０００１】
本発明は、画像表示装置等に備えられる光ファイバの保持構造及び画像表示用合波装置に関する。
【背景技術】
【０００２】
画像表示装置等には、例えばレーザ光等の光源部からの光を、光ファイバによって伝送し、画像を形成するために光を走査する部分等に入射させる構成を備えるものがある。このように光ファイバを備える構成においては、画像表示装置等の装置内に光ファイバを配線するために光ファイバの実装が行われる（例えば、特許文献１参照。）。
【０００３】
特許文献１は、光ファイバ通信における光伝送モジュールの光ファイバ実装方法に関するものであり、光伝送モジュールの外装ケース内において、光ファイバの許容曲げ半径を確保した状態で光ファイバを実装する技術を開示する。また、特許文献１には、接着剤で貼り合わせられるシートによって光ファイバを挟み込み、光ファイバをシートで束ねて実装する構成が開示されている。
【０００４】
ところで、網膜走査ディスプレイ（Ｒｅｔｉｎａｌ  Ｓｃａｎｎｉｎｇ  Ｄｉｓｐｌａｙ、以下「ＲＳＤ」とする。）やプロジェクタ等のような小型の画像表示装置には、光源部から出射される光を伝送する光ファイバを含む構成として、光源モジュールと合波モジュールとを有するものがある。光源モジュールは、例えばピグテイルモジュール等であり、ＬＤやＬＥＤ等の発光素子から出射されるＲ（赤色）、Ｇ（緑色）、Ｂ（青色）の３波をそれぞれシングルモードファイバに結合する。合波モジュールは、光源モジュールから伝送されるＲＧＢ３波を１本のシングルモードファイバに合波させる。
【０００５】
このように光源モジュールと合波モジュールとを有する小型の画像表示装置においては、装置内で複数の光ファイバの引き回しが行われ、光ファイバが収納される。光ファイバの引き回しに際しては、それぞれの光ファイバが規定の曲げ半径を維持した状態で固定される必要がある。これは、光ファイバの曲率半径が許容曲げ半径以下の状態で光ファイバが固定された場合、光ファイバの破断や、光ファイバの曲げによる伝送損失の増加等の問題が発生することに基づく。
【０００６】
従来、上記のような小型の画像表示装置における光ファイバの引き回しは、次のようにして行われていた。すなわち、装置内にて光ファイバの経路に沿ってピンや溝等のガイドが設けられ、このガイドに沿って光ファイバが配線され、光ファイバが規定の曲げ半径となるように固定されることで、光ファイバの引き回しが行われていた。
【先行技術文献】
【特許文献】
【０００７】
【特許文献１】特開平８−１５５７３号公報
【発明の概要】
【発明が解決しようとする課題】
【０００８】
光ファイバは、一般に、きつく折り曲げられると破損しやすく、きつく固定されると傷付きやすい。このため、上述のようにピンや溝等のガイドを設けることで光ファイバの引き回しを行う従来の方法によれば、装置の構成部品の配置等によって光ファイバの位置やたわみ量が変動しやすいことから、光ファイバの破損を招くおそれがある。また、上記従来の方法によれば、光ファイバ自体がガイド等に直接固定されることから、光ファイバがきつく固定されがちであり、傷付きやすい。
【０００９】
また、上述のように装置内にピンや溝等のガイドを設けることで光ファイバの引き回しを行う場合、例えばフック形状等のように、光ファイバが上方向（光ファイバが配線される面から離れる方向）に跳ねないようにするための形状部分を、引き回し用のガイドに設ける必要がある。このため、引き回し用のガイドの形状が複雑となり、ガイドを構成する部品の加工性がわるい。また、引き回し用のガイドのサイズも大きくなり、コンパクトな設計が難しく、コスト面でも問題がある。また、上記従来の方法によれば、装置の組立て時における光ファイバの引き回し作業が複雑となり、引き回しの作業中に光ファイバの表面を傷付けてしまうおそれがある。
【００１０】
さらに、上記従来の方法によれば、引き回し用のガイドの位置は固定であるため、装置内に収納される他の部品等との関係において光ファイバの配線の自由度が低い。以上のように、従来の方法では、画像表示装置における光ファイバの引き回しに多くの問題がある。
【００１１】
本発明は、上記のような問題点に鑑みてなされたものであって、光ファイバを、規定の曲げ半径を維持した状態で、任意の位置に、傷付けることなく確実に保持することができ、簡単、安価、かつコンパクトな構成を容易に実現することができ、しかも引き回しについて良好な作業性を得ることができる光ファイバ保持構造及び画像表示用合波装置を提供することにある。
【課題を解決するための手段】
【００１２】
上記課題を解決するために、請求項１に記載の光ファイバ保持構造は、光ファイバを所定の保持面に保持する光ファイバ保持構造であって、前記保持面に固定される板状またはシート状の固定部と、前記固定部の互いに対向する一対の端部に、光ファイバが湾曲することで生じる光ファイバの復元力を受けて前記復元力の反作用により光ファイバを前記保持面に沿って所定の曲げ半径で曲げ返した状態で支持する支持面を形成する支持部と、を備えるものである。
【００１３】
また、請求項２に記載の光ファイバ保持構造は、請求項１に記載の光ファイバ保持構造において、前記支持部は、前記固定部とともに、光ファイバが曲げ返される方向を筒軸方向とし該筒軸方向の両端側を開放させた筒状の保持体を構成するものである。
【００１４】
また、請求項３に記載の光ファイバ保持構造は、請求項２に記載の光ファイバ保持構造において、前記筒状の保持体は、前記固定部の互いに対向する一対の端部に前記固定部に対して観音開き状に設けられる一対の保持片部が折り重なることにより構成されるものである。
【００１５】
また、請求項４に記載の光ファイバ保持構造は、請求項１に記載の光ファイバ保持構造において、前記支持部は、前記固定部とともに、前記曲げ返した状態の光ファイバの湾曲側と反対側を開放させた袋状の保持体を構成するものである。
【００１６】
また、請求項５に記載の光ファイバ保持構造は、請求項４に記載の光ファイバ保持構造において、前記袋状の保持体は、前記固定部の互いに対向する一対の端部を含む前記固定部の縁端部に設けられる複数の保持片部が折り重なることにより構成されるものである。
【００１７】
また、請求項６に記載の光ファイバ保持構造は、請求項１〜５のいずれか１項に記載の光ファイバ保持構造において、一対の前記支持面は、互いに対向する方向に、光ファイバの許容曲げ半径の２倍の間隔を隔てるものである。
【００１８】
また、請求項７に記載の光ファイバ保持構造は、請求項２〜６のいずれか１項に記載の光ファイバ保持構造において、前記保持体は、前記復元力により変形可能な程度の柔軟性を有する素材により構成されるものである。
【００１９】
また、請求項８に記載の光ファイバ保持構造は、請求項７に記載の光ファイバ保持構造において、前記素材は、ＰＥＴフィルムであるものである。
【００２０】
また、請求項９に記載の光ファイバ保持構造は、請求項１〜８のいずれか１項に記載の光ファイバ保持構造において、前記支持面は、前記固定部に対する高さが前記支持面により支持される一または複数の光ファイバの径の合計の寸法を下回らないように低く形成されるものである。
【００２１】
また、請求項１０に記載の光ファイバ保持構造は、請求項１〜９のいずれか１項に記載の光ファイバ保持構造において、前記固定部は、粘着テープにより、前記保持面に固定されるものである。
【００２２】
請求項１１に記載の画像表示用合波装置は、請求項１〜１０のいずれか１項に記載の光ファイバ保持構造を備える画像表示用合波装置であって、波長の異なる光束を出射する複数の光源モジュールを有する光源部と、各前記光源モジュールから出射される光束を合波する合波部と、一端側が各前記光源モジュールに接続され、他端側が前記合波部に接続される複数の光ファイバと、を備え、前記複数の光ファイバが、前記光ファイバ保持構造により保持されるものである。
【発明の効果】
【００２３】
本発明によれば、光ファイバを、規定の曲げ半径を維持した状態で、任意の位置に、傷付けることなく確実に保持することができ、簡単、安価、かつコンパクトな構成を容易に実現することができ、しかも引き回しについて良好な作業性を得ることができる。
【図面の簡単な説明】
【００２４】
【図１】本発明の一実施形態に係る網膜走査ディスプレイの構成を示す図。
【図２】本発明の一実施形態に係る光ファイバ保持構造を示す平面図。
【図３】図２におけるＡ−Ａ断面図。
【図４】本発明の一実施形態に係る光ファイバ保持構造を示す平面図。
【図５】本発明の一実施形態に係る光ファイバ保持構造を示す断面図。
【図６】本発明の一実施形態に係る光ファイバ保持構造を示す斜視図。
【図７】本発明の一実施形態に係る光ファイバ保持構造の作製手順を示す平面図。
【図８】本発明の一実施形態に係る光ファイバ保持構造の作製手順を示す斜視図。
【図９】本発明の一実施形態に係る光ファイバ保持構造の構成手順を示す説明図。
【図１０】本発明の一実施形態に係る光ファイバ保持構造の構成手順を示す説明図。
【図１１】本発明の一実施形態に係る光ファイバ保持構造の構成手順を示す説明図。
【図１２】本発明の一実施形態に係る光ファイバ保持構造の作製手順を示す平面図。
【図１３】本発明の一実施形態に係る光ファイバ保持構造を示す断面図。
【図１４】本発明の一実施形態に係る光ファイバ保持構造を示す断面図。
【図１５】本発明の一実施形態に係る光ファイバ保持構造を示す斜視図。
【図１６】本発明の一実施形態に係る光ファイバ保持構造による光ファイバの引き回し例を示す平面図。
【図１７】本発明の一実施形態に係る光ファイバ保持構造による光ファイバの引き回し例を示す斜視図。
【図１８】本発明の一実施形態に係る光ファイバ保持構造による光ファイバの引き回し例を示す平面図。
【発明を実施するための形態】
【００２５】
本発明は、光ファイバを湾曲させることで生じる光ファイバの復元力を利用することにより、板状またはシート状の部材によって、光ファイバを傷付けることなく、簡単、安価、かつコンパクトな構成によって、光ファイバを規定の曲げ半径を維持した状態で保持しようとするものである。以下、本発明の実施の形態を説明する。
【００２６】
以下に説明する実施の形態では、本発明に係る光ファイバ保持構造、及び画像表示用合波装置（以下単に「合波装置」という。）を、網膜走査型画像表示装置としてのＲＳＤに適用した場合について説明する。
【００２７】
［合波装置の概略構成］
まず、本実施形態に係る合波装置１の概略構成について、図１を参照して説明する。図１に示すように、合波装置１は、光源部２と、合波部３と、光ファイバ４とを備え、ＲＳＤ１００の一部を構成する。合波装置１は、光源部２により出射される波長の異なる三つの光束であるレーザ光を、光ファイバ４により合波部３に伝送し、合波部３にて合波する。合波部３で合波された光は、光ファイバ等からなる伝送ケーブル９により、ＲＳＤ１００の一部を構成する画像表示部１０に伝送される（矢印Ｌ１参照）。
【００２８】
光源部２は、波長の異なるレーザ光を出射する複数の光源モジュールとして、赤色レーザ光を生成する赤色光源モジュール６と、緑色レーザ光を生成する緑色光源モジュール７と、青色レーザ光を生成する青色光源モジュール８とを有する。光源部２は、各色の光源モジュール６，７，８により、外部から供給される画像信号から画像情報を画素単位で読み出し、読み出した画素単位の画像情報に基づいて、Ｒ（赤色）、Ｇ（緑色）、及びＢ（青色）のレーザ光を生成して出射する（矢印Ｌｒ，Ｌｇ，Ｌｂ参照）。各色の光源モジュール６，７，８は、対応する色のレーザ光を発生させる半導体レーザにより構成される。
【００２９】
各色の光源モジュール６，７，８から出射される各色のレーザ光は、各光源モジュール６，７，８にそれぞれ対応して設けられる光ファイバ４により、合波部３に伝送される。したがって、合波装置１は、光ファイバ４として、赤色光ファイバ４Ｒと、緑色光ファイバ４Ｇと、青色光ファイバ４Ｂとを有する。
【００３０】
赤色光ファイバ４Ｒは、一端が赤色光源モジュール６に接続されるとともに他端が合波部３に接続され、赤色光源モジュール６から出射される赤色レーザ光を合波部３まで伝送し、合波部３に入射させる。また、緑色光ファイバ４Ｇは、一端が緑色光源モジュール７に接続されるとともに他端が合波部３に接続され、緑色光源モジュール７から出射される緑色レーザ光を合波部３まで伝送し、合波部３に入射させる。また、青色光ファイバ４Ｂは、一端が青色光源モジュール８に接続されるとともに他端が合波部３に接続され、青色光源モジュール８から出射される青色レーザ光を合波部３まで伝送し、合波部３に入射させる。
【００３１】
合波部３は、各色の光源モジュール６，７，８から出射される赤色、緑色、及び青色の３色のレーザ光を合波する。合波部３は、赤色、緑色、及び青色の３色のレーザ光を、１つの光軸上に合波し、白色光として伝送ケーブル９に出射する。
【００３２】
合波部３は、例えば次のような構成を有する。合波部３は、光を伝播させる通路状に形成されるコア部と、コア部を被覆するクラッド部とを有する光導波路として構成される。コア部は、各色のレーザ光が入射して伝播する３本の分岐部分と、これらの分岐部分を合流させる合流部分とを有する。コア部及びクラッド部は、例えばポリマー系樹脂等のポリマー系材料、あるいは石英ガラスやプラスチック等により構成される。また、コア部及びクラッド部は、クラッド部よりもコア部の屈折率が高くなるように構成される。
【００３３】
このような構成の合波部３においては、コア部の各分岐部分の合流する側と反対側の端部から、各色の光ファイバ４Ｒ，４Ｇ，４Ｂを介して各色のレーザが入射する。そして、コア部の各分岐部分に入射した各色のレーザ光は、コア部の合流部分にて合波され、合流部分の分岐する側と反対側の端部からスポット状の白色光として出射される。合波部３から出射される白色光は、伝送ケーブル９に入射し、伝送ケーブル９によって画像表示部６０に伝送される。
【００３４】
なお、合波部３の構成は、各色の光源モジュール６，７，８から出射される３色のレーザ光を合波することができるものであれば限定されない。合波部３としては、例えば、各色の光ファイバ４Ｒ，４Ｇ，４Ｂから入射するレーザ光をコリメートするコリメータレンズや、波長選択性によって各色のレーザ光を透過又は反射させることで合成するダイクロイックミラーや、合成されたレーザ光を集光するレンズ等の光学系を備える構成であってもよい。
【００３５】
［ＲＳＤの構成］
図１に示すように、本実施形態のＲＳＤ１００は、合波装置１と画像表示部１０とを備える。ＲＳＤ１００は、合波装置１の合波部３から伝送ケーブル９によって伝送される白色光を、画像表示部１０によって走査してＲＳＤ１００の使用者（以下「観察者」という。）の眼１０１の瞳孔１０２から入射させて網膜１０３上に投影し、観察者に画像を認識させる。
【００３６】
画像表示部１０は、伝送ケーブル９から入射したレーザ光を、画像として観察者の網膜１０３に投影可能な状態とするために、水平方向と垂直方向に走査するための光走査装置及び光学系を有する。具体的には、画像表示部１０は、コリメート光学系１１と、水平走査部１２と、第１リレー光学系１３と、垂直走査部１４と、第２リレー光学系１５とを有する。
【００３７】
コリメート光学系１１は、コリメートレンズ１１ａを有し、このコリメートレンズ１１ａ等により、合波部３から伝送ケーブル９を介して入射するレーザ光を平行光化する。水平走査部１２は、コリメート光学系１１で平行光化されたレーザ光を画像表示のために水平方向に往復走査する。水平走査部１２は、例えば、レーザ光を水平方向に走査するため偏向面を有する偏向素子と、偏向素子の偏向面を揺動させる駆動信号を生成する駆動回路とを含む構成を有する。第１リレー光学系１３は、水平走査部１２と垂直走査部１４との間に配置され、これらの間でレーザ光を中継する。
【００３８】
垂直走査部１４は、水平走査部１２で水平方向に走査されたレーザ光を垂直方向に走査する。これにより、２次元走査された画像が形成される。垂直走査部１４は、例えば、レーザ光を垂直方向に走査するための偏向面を有する偏向素子と、偏向素子の偏向面を揺動させる駆動信号を生成する駆動回路とを含む構成を有する。このように、ＲＳＤ１００は、画像表示部１０において、合波部３から出射され伝送ケーブル９を介して入射するレーザ光を２次元方向に走査する走査部として、水平走査部１２と垂直走査部１４とを有する。
【００３９】
第１リレー光学系１３は、レンズ１３ａ等により、水平走査部１２の偏向素子の偏向面によって水平方向に走査されたレーザ光を、垂直走査部１４の偏向素子の偏向面に収束させる。垂直走査部１４の偏向面に収束したレーザ光は、この垂直走査部１４の偏向面によって垂直方向に走査される。
【００４０】
第２リレー光学系１５は、レンズ１５ａ等により、水平走査部１２及び垂直走査部１４によって水平方向と垂直方向に走査されたレーザ光を、観察者の瞳孔１０２に収束するように変換する。つまり、垂直走査部１４の偏向面によって垂直方向に走査されたレーザ光が、第２リレー光学系１５を介して、画像表示部１０からの画像光Ｌｘとして出射される。
【００４１】
画像表示部１０から出射される画像光Ｌｘは、ＲＳＤ１００が備えるハーフミラー１６で反射させられて観察者の瞳孔１０２に入射する。画像表示部１０からの画像光Ｌｘが瞳孔１０２に入射することにより、網膜１０３上に、画像信号に応じた表示画像が投影される。これにより、画像光Ｌｘが、観察者によって表示画像として認識される。このように、第２リレー光学系１５及びハーフミラー１６を含む構成が、水平走査部１２及び垂直走査部１４によって走査されたレーザ光を観察者の眼１０１の網膜１０３へ投射して、画像を投影する投射部として機能する。
【００４２】
また、ハーフミラー１６は、外光Ｌｙを透過させて観察者の眼１０１に入射させる。これにより、観察者は、外光Ｌｙにより認識される背景に、画像光Ｌｘによる画像を重ねて視認することができる。このように、本実施形態のＲＳＤ１００は、外光Ｌｙを透過させるとともに、画像表示部１０から出射される画像光Ｌｘを観察者の眼１０１に走査しつつ投射するシースルー型である。ただし、本実施形態に係るＲＳＤ１００は、シースルー型である必要はない。
【００４３】
また、ＲＳＤ１００は、ＲＳＤ１００の各部を制御する制御部を備える。制御部は、例えば次のような構成を有する。制御部は、あらかじめ記憶されている制御プログラムにしたがって所定の処理を実行することによりＲＳＤ１００を制御する。制御部は、データ通信用のバスにより接続されるＣＰＵ、フラッシュメモリ、ＲＡＭ、ＶＲＡＭ、複数の入出力インターフェース等の各種機能部分を有し、バスを介して各種情報の送受信を行う。制御部は、形成した画像信号を光源部２に供給する。
【００４４】
以上のように、本実施形態のＲＳＤ１００は、合波装置１を備え、合波部３から出射されたレーザ光を２次元方向に走査して観察者の眼１０１の網膜１０３に投射することで、網膜１０３に画像を投影する。ＲＳＤ１００は、例えば、合波装置１及び画像表示部１０を含む構成を支持する眼鏡型のフレームを備えることで、観察者の頭部に装着されるヘッドマウントディスプレイを構成する。
【００４５】
［光ファイバ保持構造］
以下、本実施形態に係る光ファイバ保持構造について説明する。本実施形態に係る光ファイバ保持構造は、合波装置１が有する赤色光ファイバ４Ｒ、緑色光ファイバ４Ｇ、青色光ファイバ４Ｂを保持する。本実施形態の光ファイバ保持構造は、１本または複数本の光ファイバ４を保持する。
【００４６】
（第１実施形態）
光ファイバ保持構造の第１実施形態について説明する。図２及び図３に示すように、本実施形態に係る光ファイバ保持構造２０は、光ファイバ４を所定の保持面２１に保持する。なお、以下の説明では、図２及び図３における左右方向及び上下方向を、それぞれ光ファイバ保持構造２０における左右方向及び上下方向とする。
【００４７】
保持面２１は、略平面として形成される面である。保持面２１は、板状の部材であるベース部材２２の一側の面として形成される。ベース部材２２は、合波装置１において光ファイバ４とともに光源部２や合波部３等を収納する筐体の一部であったり、光源部２等を収納する筐体の内部に固定される、筐体とは別体の部材であったりする。
【００４８】
光ファイバ保持構造２０は、固定部２３と、一対の支持部２４とを備える（図２参照）。固定部２３は、保持面２１に固定される板状またはシート状の部分である。固定部２３は、板状またはシート状の外形における一方の板面（シート面）が保持面２１に貼り付けられた状態で、保持面２１に固定される。本実施形態では、固定部２３は、平面視で矩形状の外形を有する。
【００４９】
固定部２３の保持面２１に対する固定の方法は、特に限定されるものではないが、その好ましい一例としては、粘着テープを用いた方法が挙げられる。この場合、例えば、粘着テープとして、両面に粘着力を有する両面テープ２６が用いられる。つまり、両面テープ２６は、保持面２１と固定部２３の下面２３ａとの間に介装され、粘着力によって固定部２３を保持面２１に接着させる。両面テープ２６は、例えば、固定部２３の平面視形状に沿って矩形状を有し、固定部２３の下面２３ａの中央部分に配置される（図２参照）。ただし、両面テープ２６は、固定部２３の下面２３ａにおいて複数箇所に配置されてもよく、また、形状も限定されない。
【００５０】
このように、固定部２３は、粘着テープにより、保持面２１に固定されることが好ましい。ただし、固定部２３の保持面２１に対する固定の方法としては、粘着テープを用いた方法の他、樹脂製の接着剤を用いた方法や、ピンや鋲等の固定用の部材を用いた方法等が挙げられる。また、固定部２３の保持面２１に対する固定の方法としては、例えば粘着テープ等のように、光ファイバ４の保持面２１に対する十分な保持力が得られつつ、固定部２３が保持面２１に対して着脱可能となる方法が好ましい。
【００５１】
支持部２４は、固定部２３の互いに対向する一対の端部に、支持面２５を形成する。本実施形態では、支持部２４は、矩形状の固定部２３において、互いに対向する一対の辺部に設けられる。図２及び図３では、支持部２４は、固定部２３の左右両側の辺部に設けられる。
【００５２】
支持面２５は、一対の対向する支持部２４の内側面として形成される。したがって、一対の支持面２５は、左右方向に互いに対向する。一対の支持面２５は、光ファイバ４が湾曲することで生じる光ファイバ４の復元力（以下「ファイバ復元力」という。）を受けてファイバ復元力の反作用により、光ファイバ４を保持する。
【００５３】
光ファイバは、ガラスやプラスチックで構成されるものであり、一般的に弾性を有する。このため、光ファイバ４は、自然状態からある程度以上湾曲させられることで、元に戻ろうとする力、つまりファイバ復元力を生じさせる。
【００５４】
そこで、一対の支持面２５は、ファイバ復元力によって左右に広がろうとする湾曲状態の光ファイバ４を、左右両側から押さえ付ける態様で、光ファイバ４を支持する。すなわち、光ファイバ保持構造２０により保持された状態の光ファイバ４は、ファイバ復元力によって左右両側の支持面２５に対して押し付けられた状態となる（図３、矢印Ｆ１参照）。言い換えると、光ファイバ４は、湾曲した状態となることで、ファイバ復元力を一対の支持面２５に対する突っ張り力として作用させ、一対の支持面２５に支持される。
【００５５】
一対の支持面２５は、光ファイバ４を保持面２１に沿って所定の曲げ半径ｒで曲げ返した状態で支持する。すなわち、一対の支持面２５によって支持された状態の光ファイバ４は、保持面２１に対して、略平行な状態で、保持面２１に沿うように保持される。また、光ファイバ４は、一対の支持面２５に接触する部分が互いに略平行となるように、Ｕ字状に曲げ返された状態で保持される。
【００５６】
したがって、光ファイバ４において光ファイバ保持構造２０により保持された状態の部分は、互いに対向する支持面２５に接触する直線部４ｘと、これら直線部４ｘの間の部分であり半円状に湾曲する湾曲部４ｙとを有する。そして、光ファイバ４の湾曲部４ｙの湾曲度合いが、所定の曲げ半径ｒとして規定される。
【００５７】
以上のように、光ファイバ保持構造２０を構成する支持部２４は、固定部２３の互いに対向する一対の端部に、支持面２５を形成する。そして、一対の支持面２５は、光ファイバ４が湾曲することで生じるファイバ復元力を受けてファイバ復元力の反作用により光ファイバ４を保持面２１に沿って所定の曲げ半径ｒで曲げ返した状態で支持する支持面２５を形成する。
【００５８】
本実施形態の光ファイバ保持構造２０においては、一対の支持部２４は、固定部２３とともに、光ファイバ４が曲げ返される方向を筒軸方向としこの筒軸方向の両端側を開放させた筒状の保持体３０を構成する。ここで、光ファイバ４が曲げ返される方向とは、光ファイバ保持構造２０に保持される光ファイバ４のうち、互いに対向する支持面２５に接触する直線部４ｘに沿う方向（図２における上下方向）である。つまり、保持体３０は、光ファイバ４の直線部４ｘに沿う方向の両側を開口させる筒状体として構成される。
【００５９】
したがって、互いに対向する一対の支持面２５の下端部同士は、固定部２３によって互いに繋がり、保持体３０は、一対の支持面２５の上端部同士を繋ぐ部分として、天井部２７を有する。言い換えると、保持体３０は、左右方向に互いに対向する部分として、支持面２５を形成する一対の支持部２４を有し、上下方向に互いに対向する部分として、固定部２３と天井部２７とを有する。保持体３０においては、天井部２７により、光ファイバ４が上方向（光ファイバ４が保持面２１から離れる方向）に跳ねることが防止される。
【００６０】
このように、保持体３０は、固定部２３、一対の支持部２４、及び天井部２７によって、一体的な筒状体を構成する。そして、保持体３０を構成する各部は、板状またはシート状の部分である。つまり、保持体３０は、板状またはシート状の部材により一体的な筒状体として構成される。このように、光ファイバ保持構造２０は、筒状の保持体３０の内面として左右方向に互いに対向する一対の支持面２５により、ファイバ復元力に抗する力を光ファイバ４に作用させた状態で、光ファイバ４を保持する。
【００６１】
また、光ファイバ保持構造２０において、一対の支持面２５は、互いに対向する方向に、光ファイバ４の許容曲げ半径Ｒの２倍の間隔を隔てることが好ましい。上述したように、光ファイバ保持構造２０に保持された状態の光ファイバ４は、所定の曲げ半径ｒで湾曲する半円状の湾曲部４ｙを有する（図２参照）。このため、湾曲部４ｙの両側の直線部４ｘを接触させる一対の支持面２５の間の間隔Ｗは、湾曲部４ｙの曲げ半径ｒの略２倍の寸法となる。
【００６２】
そこで、一対の支持面２５の間隔Ｗは、光ファイバ４の許容曲げ半径Ｒの２倍の寸法、あるいはそれに近い寸法とされる。光ファイバ４の許容曲げ半径Ｒは、光ファイバ４の素材等に基づき、光ファイバ４の耐久性等の観点から、光ファイバ４の特性としてあらかじめ規定される値である。
【００６３】
光ファイバ４が許容曲げ半径Ｒよりも小さい曲げ半径で曲げられると、光ファイバ４の曲げによる伝送損失が増加したり耐久性が低下したり、曲げ度合いによっては破損の問題が生じたりする。また、光ファイバ４を保持するためのファイバ復元力に関しては、光ファイバ４が許容曲げ半径Ｒで湾曲した状態によれば、十分なファイバ復元力を得ることができる。
【００６４】
このように、光ファイバ保持構造２０では、一対の支持面２５の間隔Ｗが許容曲げ半径Ｒの２倍の寸法２Ｒ（Ｗ＝２Ｒ）となるように、保持体３０が構成される。したがって、例えば光ファイバ４の許容曲げ半径Ｒ＝１３ｍｍである場合、一対の支持面２５の間隔Ｗは、２６ｍｍあるいはその近傍の値に設定される。つまり、本実施形態の光ファイバ保持構造２０は、許容曲げ半径Ｒで湾曲した状態の光ファイバ４のファイバ復元力を利用して、一対の支持面２５に光ファイバ４を押し付けさせることで、光ファイバ４を保持している。
【００６５】
光ファイバ保持構造２０に対する光ファイバ４の保持は、例えば、光ファイバ４が、一対の支持面２５の間隔Ｗに合わせてＵ字状に曲げられた状態で、筒状の保持体３０の一方の開口側から差し込まれることで行われる。したがって、光ファイバ４は、保持面２１に固定された状態の保持体３０に対する単純な差し込み作業によって保持される。ただし、光ファイバ４の保持面２１に対する実装は、あらかじめ光ファイバ４を支持した状態の保持体３０が保持面２１に固定されることにより行われてもよい。
【００６６】
また、光ファイバ保持構造２０において、支持面２５は、固定部２３に対する高さＨが支持面２５により支持される光ファイバ４の径の寸法を下回らないように低く形成される（図３参照）。支持面２５の固定部２３に対する高さＨは、支持面２５の固定部２３からの上下方向の寸法である。
【００６７】
したがって、図３に示すように、本実施形態の場合、支持面２５の高さＨは、光ファイバ４の直径ｄ１以上である。また、支持面２５の高さＨは、省スペース化の観点からは、できるだけ低い方が好ましい。したがって、支持面２５の高さＨは、望ましくは、上述したような筒状の保持体３０に対する差し込みが許容される程度に、光ファイバ４の直径ｄ１と略同じ寸法である。
【００６８】
また、光ファイバ保持構造２０において複数の光ファイバ４が保持される場合、支持面２５の高さＨは、その複数の光ファイバ４の径の合計の寸法を下回らないように低く形成される。したがって、例えば、直径が２５０μｍの３本の光ファイバ４が光ファイバ保持構造２０により保持される場合、支持面２５の高さＨは、例えば、約７５０（＝２５０×３）μｍに設定される。
【００６９】
このように、支持面２５の高さは、光ファイバ４の直径の値を指標として、少なくとも筒状の保持体３０の開口部から光ファイバ４を挿入することができる程度の寸法でよい。これにより、保持体３０によって形成される光ファイバ４の収納スペースを小さくすることができ、光ファイバ保持構造２０の小型化を図ることができる。
【００７０】
ただし、光ファイバ保持構造２０によって複数の光ファイバ４が保持される場合、上述したような筒状の保持体３０に対する差し込みを許容するという観点からは、支持面２５の高さＨは、複数の光ファイバ４の径の合計の寸法より低くすることもできる。これにより、光ファイバ４の収納スペースについてのさらなる省スペース化を図ることができる。
【００７１】
また、光ファイバ保持構造２０において、筒状の保持体３０は、ファイバ復元力により変形可能な程度の柔軟性を有する素材により構成される。保持体３０の素材としては、例えば、ポリ塩化ビニルやポリエチレン等の合成樹脂が、加工性やコストの面から好ましく用いられる。
【００７２】
したがって、保持体３０は、例えば、ビニル袋やビニルチューブ、あるいはポリ袋が加工されることによって作製される。ただし、保持体３０の素材としては、合成繊維や布や紙等、種々の素材が適用可能である。
【００７３】
以上のような構成を備える本実施形態の光ファイバ保持構造２０によれば、光ファイバ保持構造２０によれば、一対の対向する支持面２５の間隔Ｗの調整により、容易に光ファイバ４を、規定の曲げ半径を維持した状態で保持することができる。
【００７４】
また、光ファイバ保持構造２０によれば、固定部２３が固定される保持面２１側にピンや溝等の光ファイバ４を保持するための構成を設ける必要がない。このため、保持面２１に対して粘着テープや接着剤等によって固定される固定部２３の位置により、光ファイバ４を任意の位置で保持することができる。これにより、合波装置１の装置内に収納される他の部品等との関係において光ファイバ４の配線の自由度を高くすることができる。
【００７５】
また、光ファイバ保持構造２０においては、光ファイバ４は、保持面２１に対して、固定部２３を介してファイバ復元力を受ける支持部２４によって支持された状態で保持される。このため、仮に光ファイバ４自体が保持面２１に対して直接固定される場合との比較において、光ファイバ４が傷付きにくい。また、ファイバ復元力と、一対の支持面２５の間隔Ｗとの兼ね合いで、光ファイバ４について十分な保持力を得ることができ、光ファイバ４を確実に保持することができる。
【００７６】
また、光ファイバ保持構造２０は、少なくとも固定部２３と支持部２４とを備えるというシンプルな構成であることから、例えば、上記のとおりビニル袋等を加工することによって作製することができ、簡単、安価、かつコンパクトな構成を容易に実現することができる。また、光ファイバ保持構造２０によれば、上記のとおり保持面２１に固定された状態の光ファイバ保持構造２０に対する単純な差し込み作業によって光ファイバ４を保持することができる。このため、光ファイバ４を傷付けることなく、光ファイバ４の引き回しについて良好な作業性を得ることができる。
【００７７】
また、本実施形態の光ファイバ保持構造２０のように、筒状の保持体３０を備える構成によれば、光ファイバ４の引き回しについて、保持体３０の部分から延出する光ファイバ４の長さを調整することが可能となる。つまり、光ファイバ４の保持体３０に対する保持作業において、光ファイバ４を筒状の保持体３０に対して差し込む量を調整することにより、光ファイバ４が保持体３０によって保持される部分から延出する長さを調整することができる。
【００７８】
また、筒状の保持体３０を備える構成によれば、保持体３０において上側の部分を形成する天井部２７によって光ファイバ４が覆われることとなるので、光ファイバ４を上側から保護することができる。つまり、筒状の保持体３０によれば、天井部２７によって光ファイバ４が上方向に跳ねることを防止する機能と、光ファイバ４を保護する機能とを兼ねることができる。
【００７９】
なお、図２では、光ファイバ４の保持体３０に対する挿入側と反対側（図２において上側）において湾曲部４ｙの一部が露出している。この点、光ファイバ４を保護する観点からは、筒状の保持体３０の筒軸方向の寸法と光ファイバ４の保持体３０に対する挿入量との兼ね合いにより、光ファイバ４の湾曲部４ｙの部分を全て保持体３０の内部に収納してもよい。
【００８０】
また、本実施形態の光ファイバ保持構造２０のように、一対の支持面２５の間隔Ｗが光ファイバ４の許容曲げ半径Ｒの２倍の寸法に設定されることにより、光ファイバ４の湾曲部４ｙの部分を許容曲げ半径Ｒで湾曲した状態で光ファイバ４を保持することができる。これにより、光ファイバ４の伝送損失の増加や耐久性の低下や破損の問題を生じることなく、十分な保持力が得られるとともに、光ファイバ４の収納スペースについての省スペース化を図ることができる。
【００８１】
すなわち、一対の支持面２５の間隔Ｗが大きくなると、ファイバ復元力が小さくなるため、互いに対向する一対の支持面２５によって光ファイバ４を保持する力を十分に得ることが難しくなる。また、一対の支持面２５の間隔Ｗが大きくなると、光ファイバ保持構造２０自体が大型化し、保持面２１において光ファイバ４を保持するために必要なスペースが大きくなる。
【００８２】
そこで、一対の支持面２５の間隔Ｗが光ファイバ４の許容曲げ半径Ｒの２倍の寸法に設定されることにより、光ファイバ４の破断等の問題を防ぐことができるとともに、光ファイバ４を保持するために十分なファイバ復元力が得られ、しかも光ファイバ４を保持するために必要なスペースを小さくすることができる。
【００８３】
また、本実施形態の光ファイバ保持構造２０のように、支持面２５の高さＨが、支持面２５により支持される一または複数の光ファイバ４の径の合計の寸法を下回らないように低くされることにより、光ファイバ４を確実に保持することができるとともに、上下方向（高さ方向）について省スペース化を図ることができる。
【００８４】
また、本実施形態の光ファイバ保持構造２０のように、保持体３０の素材として、ポリ塩化ビニル等の、ファイバ復元力により変形可能な程度の柔軟性を有する素材が用いられることで、光ファイバ４を傷付けることなく、安価かつ容易に保持体３０を作製することができる。
【００８５】
保持体３０の素材として、仮にアルミニウムや鉄等の金属が用いられた場合、光ファイバ４を傷付けてしまう可能性があるが、ポリ塩化ビニル等の柔らかな素材で保持体３０を構成することにより、光ファイバ４を傷付けることなく保持することができる。また、上記のとおり、ビニル袋やビニルチューブ等の安価な構成によって保持体３０を簡易に作製することができる。
【００８６】
また、本実施形態の光ファイバ保持構造２０のように、固定部２３の保持面２１に対する固定の方法として、両面テープ２６等の粘着テープが用いられることで、保持面２１上においてより簡単に、任意の位置に光ファイバ保持構造２０を設けることが可能となる。また、保持体３０の保持面２１に対する取付け・取外しを容易に行うことができるので、保持面２１上における光ファイバ保持構造２０の位置調整を容易に行うことができる。
【００８７】
（第２実施形態）
光ファイバ保持構造の第２実施形態について説明する。なお、上述した実施形態と共通する部分については、同一の符号を用いる等して適宜説明を省略する。
【００８８】
図４に示すように、本実施形態の光ファイバ保持構造２０Ａは、第１実施形態との比較において、光ファイバ４を保持する保持体３０Ａが、袋状に構成される。すなわち、本実施形態の光ファイバ保持構造２０Ａにおいては、一対の支持部２４は、固定部２３とともに、一対の支持面２５により支持される曲げ返した状態の光ファイバ４の湾曲側と反対側を開放させた袋状の保持体３０Ａを構成する。
【００８９】
袋状の保持体３０Ａは、一方の開口側が閉じた筒状の外形を有する。このため、保持体３０Ａは、固定部２３、一対の支持部２４、及び天井部２７により構成される筒状の部分に加え、筒軸方向の一方の開口側を塞ぐように設けられる底部２８を有する。
【００９０】
曲げ返した状態の光ファイバ４の湾曲側は、光ファイバ４の湾曲部４ｙ側であり、保持体３０Ａは、光ファイバ４の湾曲部４ｙ側と反対側を開放させる。この保持体３０Ａの開放側の開口部から、Ｕ字状に湾曲した状態の光ファイバ４が差し込まれる。
【００９１】
袋状の保持体３０Ａに保持される光ファイバ４は、底部２８の内側面２９に接触可能である。底部２８の内側面２９に接触する光ファイバ４は、湾曲部４ｙの先端部分を内側面２９に当接させる。この場合、保持体３０Ａに保持された状態の光ファイバ４は、左右両側の支持面２５に直線部４ｘを接触させるとともに、湾曲部４ｙの端部を内側面２９に接触させる。ただし、保持体３０Ａによる光ファイバ４の保持機能については、内側面２９に対する光ファイバ４の接触の有無は関係ない。
【００９２】
本実施形態の光ファイバ保持構造２０Ａによれば、光ファイバ４の保持体３０Ａに対する差し込み作業において、底部２８の内側面２９を、光ファイバ４の挿入方向についての位置決め用の面として用いることができる。これにより、光ファイバ保持構造２０Ａにおける光ファイバ４の保持位置を安定させることができ、保持面２１に対する光ファイバ４の実装作業が容易となる。
【００９３】
また、本実施形態の光ファイバ保持構造２０Ａによれば、袋状の保持体３０Ａが有する底部２８により、保持体３０Ａに挿入される光ファイバ４が保持体３０Ａを筒軸方向に貫通することが規制される。これにより、例えば、保持体３０Ａに対する光ファイバ４の挿入方向の向こう側に、光ファイバ４が引っかかったり光ファイバ４を傷付けたりする可能性がある構造物が存在するような場合であっても、光ファイバ４が３０Ａを貫通してその構造物に干渉することを防止することができ、安全に光ファイバ４の引き回し作業を行うことができる。
【００９４】
（第３実施形態）
光ファイバ保持構造の第３実施形態について説明する。なお、上述した実施形態と共通する部分については、同一の符号を用いる等して適宜説明を省略する。
【００９５】
図５及び図６に示すように、本実施形態の光ファイバ保持構造４０は、筒状の保持体５０を備え、保持体５０は、固定部４３の互いに対向する一対の端部に固定部４３に対して観音開き状に設けられる一対の保持片部４８が折り重なることにより構成される。
【００９６】
具体的には、筒状の保持体５０は、図７及び図８に示すように、矩形状を有する１枚のフィルム部材５１が折り曲げられることにより構成される。フィルム部材５１は、長手方向（図７において左右方向）の中間部に、固定部４３を構成する部分を有し、この固定部４３の一対の対向する両側端部に、保持片部４８を有する。保持片部４８は、固定部４３に対してフィルム部材５１の長手方向の両側に設けられる。フィルム部材５１を構成する固定部４３及び一対の保持片部４８のそれぞれは、フィルム部材５１がその長手方向について略３等分された寸法を有する。
【００９７】
固定部４３と各保持片部４８との間には、折代部４８ａが設けられる。各折代部４８ａは、固定部４３及び保持片部４８それぞれとの関係において、フィルム部材５１の折り曲げ位置を示すための折り曲げ線Ｋ１，Ｋ２（１点鎖線で図示）により区画される。折り曲げ線Ｋ１は、折代部４８ａと固定部４３との区画位置を示し、折り曲げ線Ｋ２は、折代部４８ａと保持片部４８との区画位置を示す。つまり、折り曲げ線Ｋ１，Ｋ２は、筒状の保持体５０を構成するフィルム部材５１の折り曲げ位置を示す。
【００９８】
したがって、フィルム部材５１が、折り曲げ線Ｋ１，Ｋ２において、両側の保持片部４８が折り重なるように折り曲げられることにより、筒状の保持体５０が構成される。折り曲げ線Ｋ１，Ｋ２は、例えば、フィルム部材５１の表面に描かれたり、フィルム部材５１の厚さに対して十分に浅い傷が付けられたりすることにより設けられる。
【００９９】
フィルム部材５１においては、固定部４３の裏側に、固定部４３を保持面２１に固定するための両面テープ４６ａが貼り付けられる。また、固定部４３の両側の保持片部４８のうちの一方の保持片部４８（図７において右側の保持片部４８）の表側に、互いに折り重なる保持片部４８同士を固定するための両面テープ４６ｂが貼り付けられる。
【０１００】
このような構成を有するフィルム部材５１において、まず、両面テープ４６ａが設けられていない方の保持片部４８（４８ｘ）が、固定部４３に対して折り曲げ線Ｋ１，Ｋ２の位置で折り曲げられる（矢印Ａ１参照）。次いで、両面テープ４６ｂが設けられている方の保持片部４８（４８ｙ）が、先に折り曲げられた保持片部４８（４８ｘ）に被さるようにして、折り曲げ線Ｋ１，Ｋ２の位置で折り曲げられる（矢印Ａ２参照）。そして、重なった状態の保持片部４８が、上側の保持片部４８（４８ｘ）に貼り付けられている両面テープ４６ｂによって互いに固定される。
【０１０１】
以上のようにして、図５及び図６に示すように、フィルム部材５１によって筒状の保持体５０が構成される。保持体５０においては、折代部４８ａによって、ファイバ復元力を受けて光ファイバ４を支持する支持部４４が形成される。つまり、各折代部４８ａの内側の面により、ファイバ復元力の反作用により光ファイバ４を支持する支持面４５が形成される。また、保持体５０においては、両面テープ４６ｂを介して折り重なった保持片部４８により、天井部４７が形成される。
【０１０２】
なお、折り重なる保持片部４８を互いに固定するための両面テープ４６ｂは、折り重なった状態で下側に位置する保持片部４８（４８ｘ）側にあらかじめ貼り付けられる場合は、固定部４３に設けられる両面テープ４６ａと同様に、フィルム部材５１の裏側の面に貼り付けられる。
【０１０３】
本実施形態の光ファイバ保持構造４０では、フィルム部材５１を構成する素材として、ＰＥＴ（ポリエチレンテレフタレート）フィルムが採用されている。ＰＥＴフィルムは、熱可塑性ポリエステルであるＰＥＴ樹脂からなる高分子フィルムであり、薄くても高い強度が得られ、耐熱性に優れる。フィルム部材５１を構成するＰＥＴフィルムとしては、厚さが数十μｍ程度のものが用いられる。
【０１０４】
フィルム部材５１を構成する素材としてＰＥＴフィルムが採用されることにより、上述したように筒状の保持体５０を構成するに際し、良好な加工性が得られる。また、ＰＥＴフィルムが有する特性としての高い強度から、保持体５０による光ファイバ４の保持強度を高めることができる。また、ＰＥＴフィルムが有する特性としての耐熱性は、合波装置１において筐体に収納される光源部２等の他の機器から発せられる熱等に対しても有利に作用する。さらに、ＰＥＴフィルムは、安価であることからも好ましい。
【０１０５】
本実施形態の光ファイバ保持構造４０は、例えば以下のような手順で構成される。まず、図９に示すように、フィルム部材５１が、固定部４３に貼り付けられている両面テープ４６ａにより、保持面２１に貼り付けられて固定される。
【０１０６】
次に、図１０に示すように、保持面２１上において、フィルム部材５１が折り曲げられることにより、筒状の保持体５０が構成される。つまり、上述したように、一対の保持片部４８が順に折り曲げられ（図７、図８、矢印Ａ１、Ａ２参照）、重なった状態の保持片部４８が両面テープ４６ｂによって固定される。
【０１０７】
このようにして保持面２１上に構成された保持体５０に対して、図１０に示すように、Ｕ字状に湾曲された状態の光ファイバ４が、その湾曲部４ｙ側から、筒状の保持体５０の一方の開口側から挿入される（矢印Ａ３参照）。そして、光ファイバ４をＵ字状に湾曲させる力が解除されることにより、光ファイバ４がファイバ復元力によって自動的に保持された状態となる。つまり、図１１に示すように、光ファイバ４が保持面２１上において光ファイバ保持構造４０によって保持された状態となる。
【０１０８】
なお、上述の例では、先にフィルム部材５１が両面テープ４６ａによって保持面２１に固定された後、フィルム部材５１が折り畳まれて保持体５０が構成される手順であるが、これに限定されない。つまり、保持面２１上に光ファイバ保持構造４０を構成するに際しては、あらかじめフィルム部材５１を折り畳むことで筒状の保持体５０を構成した後、その保持体５０を両面テープ４６ａによって保持面２１に固定する手順であってもよい。
【０１０９】
また、本実施形態に係るフィルム部材５１においては、筒状の保持体５０を構成するに際して一対の保持片部４８を固定部４３に対して折り曲げるための折り曲げ線Ｋ１，Ｋ２は、フィルム部材５１の素材等によっては、１本以下であったり３本以上であったりしてもよい。例えば、フィルム部材５１の素材として、ポリ塩化ビニル等の薄くて柔軟性を有する素材が用いられる場合、折り曲げ線Ｋ１，Ｋ２は省略することができる。この場合、折代部４８ａに相当する部分は、ファイバ復元力によって変形し、光ファイバ４の外形に沿う状態で光ファイバ４を支持する。また、折り曲げ線Ｋ１，Ｋ２を３本以上設けることで、折代部４８ａの部分を段階的に折り曲げる構成であってもよい。
【０１１０】
（第４実施形態）
光ファイバ保持構造の第４実施形態について説明する。なお、上述した実施形態と共通する部分については、同一の符号を用いる等して適宜説明を省略する。
【０１１１】
図１２及び図１３に示すように、本実施形態の光ファイバ保持構造４０Ａは、第３実施形態との比較において、光ファイバ４を保持する保持体５０Ａが、袋状に構成される。すなわち、本実施形態の光ファイバ保持構造４０Ａは、袋状の保持体５０Ａを備え、保持体５０Ａは、固定部４３の互いに対向する一対の端部を含む固定部４３の縁端部に設けられる複数の保持片部４８，４９が折り重なることにより構成される。
【０１１２】
具体的には、袋状の保持体５０Ａは、図１２に示すように、フィルム部材５１Ａが折り曲げられることにより構成される。フィルム部材５１Ａは、固定部４３と、固定部４３の一対の対向する両端部（左右両端部）に設けられる保持片部４８とからなる矩形状のフィルム部分に、保持片部４８と略同じ大きさ・形状の保持片部４９が付加された形状を有する。
【０１１３】
保持片部４９は、固定部４３において、保持片部４８が設けられる辺部とは異なる辺部側に設けられる。保持片部４９は、固定部４３に対して、保持片部４８と同様に、折代部４９ａを介して設けられる。つまり、折代部４９ａは、固定部４３及び保持片部４９それぞれとの関係において、フィルム部材５１Ａの折り曲げ位置を示すための折り曲げ線Ｋ１，Ｋ２（１点鎖線で図示）により区画される。折り曲げ線Ｋ３は、折代部４９ａと固定部４３との区画位置を示し、折り曲げ線Ｋ３は、折代部４９ａと保持片部４９との区画位置を示す。なお、保持片部４９の表側には、保持片部４８に対する固定のための両面テープ４６ｃが貼り付けられている。
【０１１４】
図１２に示すように、このような構成を有するフィルム部材５１Ａにおいては、両側の保持片部４８が折り曲げられて両面テープ４６ｂによって固定された後（矢印Ｂ１，Ｂ２参照）、保持片部４９が折り重なった保持片部４８に被さるようにして、折り曲げ線Ｋ３，Ｋ４の位置で折り曲げられる（矢印Ｂ３）。そして、保持片部４９は、両面テープ４６ｃによって上側の保持片部４８（４８ｙ）に対して貼り付けられて固定される。
【０１１５】
このようにして構成される袋状の保持体５０Ａにおいては、つまり、保持体５０Ａにおいては、折代部４９ａにより、筒軸方向の一方の開口側を塞ぐように設けられる底部が構成される。したがって、図１３に示すように、保持体５０Ａにおける折代部４９ａの内側面４９ｂが、光ファイバ４の保持体５０Ａに対する差し込み作業において、光ファイバ４の挿入方向についての位置決め用の面として用いられる。また、保持体５０Ａにおいては、両面テープ４６ｂ，４６ｃを介して折り重なった保持片部４８，４９により、天井部４７が形成される。
【０１１６】
以上のように構成される本実施形態の光ファイバ保持構造４０Ａにおいては、一対の支持部４４は、固定部４３とともに、一対の支持面４５により支持される曲げ返した状態の光ファイバ４の湾曲側と反対側を開放させた袋状の保持体５０Ａを構成する。なお、保持体５０Ａにおいて底部を構成するための折代部４９ａを含む部分は、フィルム部材５１Ａにおいて、折代部４９ａによって保持体５０Ａの底部が構成され得る適宜の位置に設けられる。
【０１１７】
（第５実施形態）
光ファイバ保持構造の第５実施形態について説明する。なお、上述した実施形態と共通する部分については、同一の符号を用いる等して適宜説明を省略する。
【０１１８】
図１４及び図１５に示すように、本実施形態の光ファイバ保持構造４０Ｂは、第３実施形態の光ファイバ保持構造４０との比較において、両面テープ４６ｂにより互いに固定される保持片部４８の代わりに、支持部４４の上端位置から、一対の支持部４４が互いに対向する向きに斜め上方に突出する庇状の保持片部４８ｂを有する。つまり、本実施形態に係る保持体５０Ｂは、固定部４３と、一対の支持部４４と、一対の保持片部４８ｂとを有する。
【０１１９】
庇状の保持片部４８ｂを有する保持体５０Ｂは、第３実施形態に係る保持体５０と同様に矩形状の１枚のフィルム部材が折り曲げられることにより構成される。そして、庇状の保持片部４８ｂは、矩形状のフィルム部材における両端部分が折り曲げられることにより構成される。
【０１２０】
つまり、庇状の保持片部４８ｂは、矩形状のフィルム部材において、固定部４３に対して、フィルム部材の長手方向の両側に、折代部（図７、折代部４８ａ参照）を介して設けられる部分により構成される。また、矩形状のフィルム部材において、保持片部４８ｂは、一対の庇状の保持片部４８ｂのフィルム部材の長手方向の合計の寸法が、固定部４３よりも短くなるように形成される。したがって、本実施形態の保持体５０Ｂは、互いに対向する保持片部４８ｂの先端同士の間が開放された形状を有する。
【０１２１】
庇状の保持片部４８ｂの突出方向の長さや角度は、保持体５０Ｂに保持された状態の光ファイバ４が容易に上方向に跳ねることがなく、光ファイバ４を確実に保持することができるように設定される。また、本実施形態の保持体５０Ｂの素材としては、光ファイバ４を保持した状態、つまりファイバ復元力が作用した状態において、支持部４４及び庇状の保持片部４８ｂの形状を保持する観点から、ＰＥＴフィルムが好適に用いられる。本実施形態の光ファイバ保持構造４０Ｂにおける他の構成は、第３実施形態の光ファイバ保持構造４０と同様である。
【０１２２】
本実施形態の光ファイバ保持構造４０Ｂによれば、第３実施形態との比較において、保持片部４８ｂ同士を固定するための両面テープ４６ｂを省略することができることから、構造の簡略化、作製行程の簡略化を図ることができ、コストも抑えることができる。
【０１２３】
（光ファイバの引き回し実施例）
以下、本発明の実施形態に係る光ファイバ保持構造による、保持面２１に対する光ファイバ４の引き回し実施例について説明する。なお、本実施例では、第３実施形態に係る光ファイバ保持構造４０、つまりフィルム部材５１が折り曲げられることで構成される筒状の保持体５０を用いた場合について説明する。
【０１２４】
図１６及び図１７に示す例は、本実施形態に係る合波装置１が備える３本の光ファイバ４Ｒ，４Ｇ，４Ｂが、１個の光ファイバ保持構造４０によって保持される場合の例である。すなわち、本例では、各色に対応する光源モジュール６，７，８から延出される３本の光ファイバ４Ｒ，４Ｇ，４Ｂは、１箇所にまとめられ、束となった状態で、保持面２１上に固定された１個の保持体５０において保持される。つまり、３本の光ファイバ４Ｒ，４Ｇ，４Ｂは、１回曲げ返されることにより、合波部３に接続される。
【０１２５】
このように、光ファイバ保持構造４０によれば、３本の光ファイバ４Ｒ，４Ｇ，４Ｂを１個の保持体５０によって同時に処理することができる。また、各光ファイバ４について、保持体５０に対する挿入量の調整により、３本の光ファイバ４Ｒ，４Ｇ，４Ｂの長さのバラツキを吸収することができる。
【０１２６】
図１８に示す例は、本実施形態に係る合波装置１が備える３本の光ファイバ４Ｒ，４Ｇ，４Ｂが、３個の光ファイバ保持構造４０によって保持される場合の例である。すなわち、本例では、各色に対応する光源モジュール６，７，８から延出される３本の光ファイバ４Ｒ，４Ｇ，４Ｂは、１箇所にまとめられ、束となった状態で、保持面２１上に固定された３個の保持体５０において保持される。つまり、３本の光ファイバ４Ｒ，４Ｇ，４Ｂは、３回曲げ返されることにより、合波部３に接続される。
【０１２７】
本例の場合、例えば、光ファイバ４を保持する位置に応じて、筒状の保持体５０のほか、適宜袋状の保持体３０Ａ（図４参照）等が組み合わせて用いられる。また、光ファイバ保持構造４０は、合波部３から画像表示部１０に接続される伝送ケーブル９の保持に用いられてもよい。
【０１２８】
以上説明したように、本実施形態に係る光ファイバ保持構造によれば、以下の効果が期待できる。
【０１２９】
（１）本実施形態に係る光ファイバ保持構造は、光ファイバ４を所定の保持面２１に保持する光ファイバ保持構造であって、保持面２１に固定される板状またはシート状の固定部２３と、固定部２３の互いに対向する一対の端部に、光ファイバ４が湾曲することで生じるファイバ復元力を受けてファイバ復元力の反作用により光ファイバ４を保持面２１に沿って所定の曲げ半径ｒで曲げ返した状態で支持する支持面２５を形成する支持部２４と、を備える。これにより、光ファイバ４を、規定の曲げ半径を維持した状態で、任意の位置に、傷付けることなく確実に保持することができ、簡単、安価、かつコンパクトな構成を容易に実現することができ、しかも引き回しについて良好な作業性を得ることができる。
【０１３０】
（２）また、本実施形態に係る光ファイバ保持構造においては、支持部２４は、固定部２３とともに、光ファイバ４が曲げ返される方向を筒軸方向とし筒軸方向の両端側を開放させた筒状の保持体３０を構成する。これにより、光ファイバ４の引き回しについて、保持体３０の部分から延出する光ファイバ４の長さを調整することが可能となる。
【０１３１】
（３）また、本実施形態に係る光ファイバ保持構造においては、筒状の保持体５０は、固定部４３の互いに対向する一対の端部に固定部４３に対して観音開き状に設けられる一対の保持片部４８が折り重なることにより構成される。これにより、保持体５０を簡易に作製することができる。
【０１３２】
（４）また、本実施形態に係る光ファイバ保持構造においては、支持部２４は、固定部２３とともに、曲げ返した状態の光ファイバ４の湾曲側と反対側を開放させた袋状の保持体３０Ａを構成する。これにより、光ファイバ保持構造における光ファイバ４の保持位置を安定させることができ、保持面２１に対する光ファイバ４の実装作業が容易となる。
【０１３３】
（５）また、本実施形態に係る光ファイバ保持構造においては、袋状の保持体５０Ａは、固定部４３の互いに対向する一対の端部を含む固定部４３の縁端部に設けられる複数の保持片部４８，４９が折り重なることにより構成される。これにより、保持体５０Ａを簡易に作製することができる。
【０１３４】
（６）また、本実施形態に係る光ファイバ保持構造においては、一対の支持面２５は、互いに対向する方向に、光ファイバ４の許容曲げ半径Ｒの２倍の間隔を隔てる。これにより、光ファイバ４の伝送損失の増加や耐久性の低下や破損の問題を生じることなく、十分な保持力が得られるとともに、光ファイバ４の収納スペースについての省スペース化を図ることができる。
【０１３５】
（７）また、本実施形態に係る光ファイバ保持構造においては、保持体３０は、ファイバ復元力により変形可能な程度の柔軟性を有する素材により構成される。これにより、光ファイバ４を傷付けることなく、安価かつ容易に保持体３０を作製することができる。
【０１３６】
（８）また、本実施形態に係る光ファイバ保持構造においては、前記素材は、ＰＥＴフィルムである。これにより、良好な加工性が得られ、光ファイバ４の保持強度を高めることができる。
【０１３７】
（９）また、本実施形態に係る光ファイバ保持構造においては、支持面２５は、固定部２３に対する高さが支持面２５により支持される一または複数の光ファイバ４の径の合計の寸法を下回らないように低く形成される。これにより、光ファイバ４を確実に保持することができるとともに、高さ方向について省スペース化を図ることができる。
【０１３８】
（１０）また、本実施形態に係る光ファイバ保持構造においては、固定部２３は、粘着テープにより、保持面２１に固定される。これにより、保持面２１上においてより簡単に、任意の位置に光ファイバ保持構造２０を設けることが可能となる。保持面２１上における光ファイバ保持構造２０の位置調整を容易に行うことができる。
【０１３９】
（１１）本実施形態に係る合波装置１は、波長の異なるレーザ光を出射する複数の光源モジュール６，７，８を有する光源部２と、各光源モジュール６，７，８から出射されるレーザ光を合波する合波部３と、一端側が各光源モジュール６，７，８に接続され、他端側が合波部３に接続される複数の光ファイバ４Ｒ，４Ｇ，４Ｂと、を備え、複数の光ファイバ４Ｒ，４Ｇ，４Ｂが、光ファイバ保持構造２０により保持される。これにより、光ファイバ４を、規定の曲げ半径を維持した状態で、任意の位置に、傷付けることなく確実に保持することができ、簡単、安価、かつコンパクトな構成を容易に実現することができ、しかも引き回しについて良好な作業性を得ることができる。
【符号の説明】
【０１４０】
１      合波装置（画像表示用合波装置）
２      光源部
３      合波部
４      光ファイバ
６      赤色光源モジュール
７      緑色光源モジュール
８      青色光源モジュール
２０    光ファイバ保持構造
２１    保持面
２３    固定部
２４    支持部
２５    支持面
２６    両面テープ（粘着テープ）
３０    筒状の保持体
３０Ａ  袋状の保持体
５０    筒状保持体
５０Ａ  袋状の保持体
５１    フィルム部材
５１Ａ  フィルム部材
【図１】
2012053217.tif 000003
【図２】
2012053217.tif 000004
【図３】
2012053217.tif 000005
【図４】
2012053217.tif 000006
【図５】
2012053217.tif 000007
【図６】
2012053217.tif 000008
【図７】
2012053217.tif 000009
【図８】
2012053217.tif 000010
【図９】
2012053217.tif 000011
【図１０】
2012053217.tif 000012
【図１１】
2012053217.tif 000013
【図１２】
2012053217.tif 000014
【図１３】
2012053217.tif 000015
【図１４】
2012053217.tif 000016
【図１５】
2012053217.tif 000017
【図１６】
2012053217.tif 000018
【図１７】
2012053217.tif 000019
【図１８】
2012053217.tif 000020